(57)【要約】      （修正有）【課題】蓄電装置の騒音が住人に不快感を与えるのを防止することができ、且つ蓄電装置収納庫の換気用の貫通孔（排気口及び吸気口）を住宅の外壁に形成する必要がない住宅を提供する。【解決手段】電力供給システムを具備する住宅において、住宅の玄関に配設される玄関収納部に、仕切り部材（左右側板と、天板２２１と、収納扉２３０と）により周囲を区画された空間であり蓄電装置を収納するための蓄電装置収納庫２００を形成し、仕切り部材に、玄関側と蓄電装置収納庫とを連通する換気用の第一排気口（上部開口２６１及び下部開口２６２）及び第一吸気口（貫通孔２５１）と、玄関側の空気を第一吸気口から蓄電装置収納庫に吸気し、蓄電装置収納庫の空気を第一排気口から玄関側に排気するファン（換気ファン２５０）と、を形成する。【選択図】図７
2014001572.tif 000002
【特許請求の範囲】
【請求項１】
蓄電装置からの電力を負荷へと供給可能な電力供給システムを具備する住宅において、
前記住宅の玄関に配設される玄関収納部に、仕切り部材により前記玄関と区画された空間であり前記蓄電装置を収納するための蓄電装置収納庫を形成し、
前記仕切り部材に、
玄関側と前記蓄電装置収納庫とを連通する換気用の第一排気口及び第一吸気口と、
前記玄関側の空気を前記第一吸気口から前記蓄電装置収納庫に吸気し、前記蓄電装置収納庫の空気を前記第一排気口から前記玄関側に排気するファンと、
を形成する、
ことを特徴とする住宅。
【請求項２】
前記仕切り部材には、その内側に前記蓄電装置の騒音を防音する防音部材を覆設し、
前記防音部材は、前記蓄電装置が前記仕切り部材に衝突した場合に生じる衝撃を緩和する緩衝部材を兼用する、
ことを特徴とする請求項１に記載の住宅。
【請求項３】
前記玄関収納部は、前記蓄電装置収納庫に連設された下駄箱を具備し、
前記蓄電装置収納庫と前記下駄箱との間を区画する仕切り部材に、前記蓄電装置収納庫と前記下駄箱とを連通する第二排気口及び第二吸気口を形成し、
前記ファンにより前記玄関側の空気が前記第一吸気口から前記蓄電装置収納庫に吸気されると、前記蓄電装置収納庫の空気が前記第二吸気口から前記下駄箱に吸気され、前記下駄箱の空気が前記第二排気口から前記蓄電装置収納庫に排気され、前記蓄電装置収納庫の空気が前記第一排気口から前記玄関側に排気される、
ことを特徴とする請求項１又は請求項２に記載の住宅。
【発明の詳細な説明】
【技術分野】
【０００１】
本発明は、蓄電装置からの電力を負荷へと供給可能な電力供給システムを具備する住宅の技術に関する。
【背景技術】
【０００２】
従来、蓄電装置を備え、商用電源が停電した場合には当該蓄電装置から負荷に電力を供給することが可能な電力供給システムの技術は公知となっている。例えば、特許文献１に記載の如くである。
【０００３】
特許文献１に記載の電力供給システムでは、商用電源が停電し、当該商用電源から負荷への電力の供給が絶たれた場合、商用電源に代えて蓄電装置に充電された電力を当該負荷に供給することができる。また、商用電源の停電が解消された（復旧した）場合、商用電源からの電力を負荷だけでなく蓄電装置にも供給することによって当該蓄電装置を再び充電することができる。
【０００４】
しかし、特許文献１に記載の如き電力供給システムを具備する住宅においては、運転中に騒音を発する蓄電装置の収納庫（蓄電装置収納庫）を、どこに形成するのかが問題となる。
【０００５】
すなわち、蓄電装置収納庫を住宅内の密閉された空間であって、且つデッドスペースを有効活用することができる空間、例えば階段下収納に形成した場合、当該階段下収納は住人が長時間滞在するようなリビングやダイニング等に直接隣接しておらず、蓄電装置の騒音が住人に不快感を与えるのを防止することができる。
【０００６】
しかしながら、このような構成では、住宅内への蓄電装置の騒音を防音するため、蓄電装置収納庫の換気用の貫通孔（排気口及び吸気口）を住宅の外壁に形成し、住宅外の空気を吸気して当該蓄電装置収納庫を換気する必要があった。すなわち、例えばリフォーム等で住宅の外壁に貫通孔を形成することができない場合には、蓄電装置収納庫を設置することができないという問題点があった。
【先行技術文献】
【特許文献】
【０００７】
【特許文献１】特開２０１０−２８４０６０号公報
【発明の概要】
【発明が解決しようとする課題】
【０００８】
本発明は、以上の如き状況に鑑みてなされたものであり、その解決しようとする課題は、蓄電装置の騒音が住人に不快感を与えるのを防止することができ、且つ蓄電装置収納庫の換気用の貫通孔（排気口及び吸気口）を住宅の外壁に形成する必要がない住宅を提供することである。
【課題を解決するための手段】
【０００９】
本発明の解決しようとする課題は以上の如くであり、次にこの課題を解決するための手段を説明する。
【００１０】
即ち、請求項１においては、蓄電装置からの電力を負荷へと供給可能な電力供給システムを具備する住宅において、前記住宅の玄関に配設される玄関収納部に、仕切り部材により前記玄関と区画された空間であり前記蓄電装置を収納するための蓄電装置収納庫を形成し、前記仕切り部材に、玄関側と前記蓄電装置収納庫とを連通する換気用の第一排気口及び第一吸気口と、前記玄関側の空気を前記第一吸気口から前記蓄電装置収納庫に吸気し、前記蓄電装置収納庫の空気を前記第一排気口から前記玄関側に排気するファンと、を形成するものである。
【００１１】
請求項２においては、前記仕切り部材には、その内側に前記蓄電装置の騒音を防音する防音部材を覆設し、前記防音部材は、前記蓄電装置が前記仕切り部材に衝突した場合に生じる衝撃を緩和する緩衝部材を兼用するものである。
【００１２】
請求項３においては、前記玄関収納部は、前記蓄電装置収納庫に連設された下駄箱を具備し、前記蓄電装置収納庫と前記下駄箱との間を区画する仕切り部材に、前記蓄電装置収納庫と前記下駄箱とを連通する第二排気口及び第二吸気口を形成し、前記ファンにより前記玄関側の空気が前記第一吸気口から前記蓄電装置収納庫に吸気されると、前記蓄電装置収納庫の空気が前記第二吸気口から前記下駄箱に吸気され、前記下駄箱の空気が前記第二排気口から前記蓄電装置収納庫に排気され、前記蓄電装置収納庫の空気が前記第一排気口から前記玄関側に排気されるものである。
【発明の効果】
【００１３】
本発明の効果として、以下に示すような効果を奏する。
【００１４】
請求項１においては、蓄電装置の騒音が住人に不快感を与えるのを防止することができ、且つ蓄電装置収納庫の換気用の貫通孔（排気口及び吸気口）を住宅の外壁に形成する必要がない住宅を提供することができる。
【００１５】
請求項２においては、蓄電装置を蓄電装置収納庫に固定するため専用の部材を設ける必要がない。その結果、施工コストを削減することができる。
【００１６】
請求項３においては、下駄箱を換気するため専用の換気ファンを設けることなく、下駄箱を換気することができる。また、下駄箱に吸気される空気は、蓄電装置の排熱により暖められた空気を用いることができるので、当該下駄箱の湿気を効果的に除去することができる。
【図面の簡単な説明】
【００１７】
【図１】本発明の第一実施形態に係る住宅の１階部分を示した平面図。
【図２】住宅が具備する電力供給システムを示したブロック図。
【図３】蓄電装置収納庫（玄関収納部）の構成を示した正面図。
【図４】（ａ）蓄電装置収納庫の収納扉の構成を示した正面図。（ｂ）蓄電装置収納庫の収納扉の構成を示した平面断面図。
【図５】蓄電装置収納庫の構成を示した正面断面図。
【図６】蓄電装置収納庫の構成を示した平面断面図。
【図７】蓄電装置収納庫の構成を示した側面断面図。
【図８】（ａ）蓄電装置収納庫の天板の構成を示した断面図。（ｂ）蓄電装置収納庫の側板及び収納扉の構成を示した断面図。
【図９】本発明の第二実施形態に係る住宅の１階部分を示した平面図。
【図１０】蓄電装置収納庫、下駄箱、及び前部収納部（玄関収納部）の構成を示した平面断面図。
【図１１】図１０における空気の流れを示した平面断面図。
【図１２】（ａ）階段下収納に配置された従来の蓄電装置収納庫の構成を示した側面断面図。（ｂ）階段下収納に配置された従来の蓄電装置収納庫の構成を示した正面断面図。
【図１３】（ａ）従来の蓄電装置収納庫の天板の構成を示した断面図。（ｂ）従来の蓄電装置収納庫の側板の構成を示した断面図。
【発明を実施するための形態】
【００１８】
まず、図１を用いて、本発明の第一実施形態に係る住宅１００（１階部分のみ）の全体構成について説明する。
【００１９】
住宅１００の１階には、玄関１０１、廊下１０３、トイレ１０４、折り返し階段１０５、階段下収納１０６、デッキ１０７、車庫１０８、及びリビング１０９が配置される。
【００２０】
玄関１０１は、住宅１００の北東部分に配置される。玄関１０１には、玄関収納部１１３が配置される。なお、本実施形態では、玄関収納部１１３には、蓄電装置４０を収納する蓄電装置収納庫２００が形成される（玄関収納部１１３が、蓄電装置収納庫２００として形成される）。玄関１０１の西側には、西方向に向かって廊下１０３が延設される。廊下１０３の北側には、東から西に向かって順にトイレ１０４及び折り返し階段１０５が住宅１００の外壁１００ａに沿うように配置される。廊下１０３の西側には、リビング１０９が配置される。また、折り返し階段１０５の下方には階段下収納１０６が配置される。
【００２１】
廊下１０３の西側であってリビング１０９の南側（住宅１００の南西部分）には、デッキ１０７が配置される。デッキ１０７の東側（住宅１００の南東部分）には、車庫１０８が配置される。
【００２２】
次に、図２を用いて、住宅１００が具備する電力供給システム１について説明する。
【００２３】
電力供給システム１は、住宅１００に設けられ、商用電源９０からの電力及び自然エネルギーにより発電された電力を特定の負荷へと供給するものである。電力供給システム１は、主として発電部１０、パワーコンディショナ２０、分電盤３０、蓄電装置４０、負荷５０（特定の負荷）、その他の負荷８０、ホームサーバ６０及び携帯型端末７０等を具備する。
【００２４】
発電部１０は、太陽光を利用して発電する装置であり、太陽電池パネル等により構成される。発電部１０は、住宅１００の屋根の上に設置される。
【００２５】
パワーコンディショナ２０は、発電部１０において発電された直流電力を交流電力に変換し、商用電源９０の電圧、周波数、位相に合わせる機能を有するものである。パワーコンディショナ２０は、発電部１０に接続される。
パワーコンディショナ２０には、停電時（商用電源９０からの電力が供給不能な場合）における「自立運転モード」のＯＮとＯＦＦとを切り換えるための運転切換スイッチ２０ａが設けられる。
また、パワーコンディショナ２０には、停電時（非常時）において発電部１０からの電力を取り出すための非常用コンセント２１が接続される。
【００２６】
分電盤３０は、漏電遮断器、配線遮断器及び制御ユニット等をまとめたものである。分電盤３０は、パワーコンディショナ２０及び商用電源９０に接続される。
分電盤３０には、後述する蓄電装置４０が充電、放電及び情報（データ）のやり取りを行うための充放電用コンセント群３１（より詳細には、充放電用コンセント群３１のうち後述する充電用コンセント３２及びＬＡＮ用コンセント３３のみ）が接続される。
【００２７】
充放電用コンセント群３１は、充電用コンセント３２、ＬＡＮ用コンセント３３及び放電用コンセント３４を具備する。
【００２８】
蓄電装置４０は、電力を充電するとともに、当該充電した電力を放電するものである。本実施形態に係る蓄電装置４０は、電力を充放電可能なリチウムイオン電池及び当該リチウムイオン電池からの直流電力を交流電力に変換するインバータ等を具備する。
蓄電装置４０は、停電時（非常時）における充電用のケーブル４１を介して非常用コンセント２１に接続される。
また、蓄電装置４０は、通常時における充電用のケーブル４２を介して充放電用コンセント群３１の充電用コンセント３２に、放電用のケーブル４３を介して充放電用コンセント群３１の放電用コンセント３４に、それぞれ接続される。
また、蓄電装置４０は、ＬＡＮケーブル４４を介して充放電用コンセント群３１のＬＡＮ用コンセント３３に接続される。
【００２９】
負荷５０は、住宅内において電力が消費される電化製品等であり、特に、停電時（非常時）においても電力を供給する必要がある「特定の負荷」である。
本実施形態においては、負荷５０（特定の負荷）として、リビング１０９に設けられるリビングコンセント５１、冷蔵庫５２、及びリビング１０９に設けられるリビング照明５３を用いるものとする。また、リビングコンセント５１には、テレビ５１ａが接続されるものとする。
負荷５０は、それぞれ間接的に（本実施形態においては、充放電用コンセント群３１の放電用コンセント３４及び図示しない漏電遮断器等を介して）蓄電装置４０に接続される。
【００３０】
その他の負荷８０は、住宅１００内において電力が消費される電化製品等であり、前述の負荷５０（特定の負荷）とは異なり、停電時（非常時）においては電力を供給する必要がない（非常時に電力を供給する必要性が低い）負荷である。その他の負荷８０としては、例えば、リビング１０９以外に設けられるコンセントや照明等が挙げられる。
その他の負荷８０は、分電盤３０に接続される。
【００３１】
ホームサーバ６０は、電力供給システム１内の情報を管理する制御手段である。
ホームサーバ６０は、分電盤３０に接続される。ホームサーバ６０は、パワーコンディショナ２０及び蓄電装置４０等と情報のやり取りが可能とされ、当該パワーコンディショナ２０及び蓄電装置４０等の運転を制御することができる。
【００３２】
携帯型端末７０は、住宅の居住者が電力供給システム１の状態を確認したり、当該電力供給システム１の運転状態を変更するための操作をしたりするためのものである。携帯型端末７０としては、表示装置と入力装置を組み合わせたタッチパネル等を用いることができる。
携帯型端末７０は、無線によりホームサーバ６０と情報のやり取りをすることができる。
【００３３】
次に、図２を用いて、上述の如く構成された電力供給システム１において、商用電源９０からの電力が問題なく供給される場合の電力の供給態様について説明する。
【００３４】
通常、すなわち商用電源９０からの電力が問題なく供給可能な場合、パワーコンディショナ２０の運転切換スイッチ２０ａは居住者によってＯＦＦに切り換えられている。この場合、パワーコンディショナ２０の自立運転モードはＯＦＦとされ、当該パワーコンディショナ２０の非常用コンセント２１からの電力の取り出しはできない。
【００３５】
この状態においては、発電部１０において発電された直流電力は、パワーコンディショナ２０において交流電力に変換され、分電盤３０に供給される。また、商用電源９０からの交流電力も分電盤３０に供給される。
【００３６】
当該発電部１０及び商用電源９０から分電盤３０に供給された電力は、適宜の時間帯にケーブル４２を介して蓄電装置４０に充電される。当該充電する時間帯は、携帯型端末７０を用いて任意に設定することができる。例えば深夜に充電するように設定すれば、料金の安い深夜電力を蓄電装置４０に充電することができる。また、昼間の太陽光が十分に照射される時間帯に発電部１０からの電力を充電するように設定すれば、当該発電部１０において自然エネルギー（太陽光）を利用して発電された電力を蓄電装置４０に充電することができる。
なお、この場合（通常時）においては、発電部１０及び商用電源９０からの電力を蓄電装置４０に充電する際、同時に当該蓄電装置４０からその他の負荷８０へと電力が供給（放電）されることはない。このように、充電と放電とを同時に行わないようにすることによって、蓄電装置４０（より詳細には、当該蓄電装置４０内の蓄電池（リチウムイオン電池））の劣化を防止することができる。
【００３７】
また、発電部１０及び商用電源９０から分電盤３０に供給された電力は、その他の負荷８０に供給される。すなわち、居住者は、発電部１０及び商用電源９０からの電力によって、リビング１０９以外に設けられるコンセントに接続された機器を利用したり、リビング１０９以外の照明等を点灯させたりすることができる。
【００３８】
また、その他の負荷８０で消費する電力が、発電部１０からの電力だけで十分まかなえる場合は、商用電源９０からの電力を用いないようにすることも可能である。これによって、電力料金を節約することができる。
【００３９】
さらに、蓄電装置４０に充電された電力を、ケーブル４３を介して負荷５０に供給することも可能である。当該蓄電装置４０から負荷５０に電力を供給する時間帯は、携帯型端末７０を用いて任意に設定することができる。例えば深夜に充電した電力を昼間に負荷５０に供給するように設定することで、電力料金を節約することができる。
なお、通常時においては、蓄電装置４０から負荷５０に電力を供給（放電）する際、同時に発電部１０及び商用電源９０からの電力が蓄電装置４０に充電されることはない。このように、充電と放電とを同時に行わないようにすることによって、蓄電装置４０（より詳細には、当該蓄電装置４０内の蓄電池（リチウムイオン電池））の劣化を防止することができる。
【００４０】
上述の如く発電部１０、商用電源９０及び蓄電装置４０からの電力を適宜負荷５０及びその他の負荷８０に供給するための制御は、ホームサーバ６０に記憶された制御プログラムに基づいてなされる。
また、上述の如き電力の供給状態は携帯型端末７０の表示装置に表示され、居住者は当該携帯型端末７０により電力の供給状態を確認することができる。
【００４１】
次に、停電時（商用電源９０からの電力が供給不能な場合）における電力の供給態様について説明する。
【００４２】
停電時（非常時）においては、電力会社の電力復旧作業を妨げないように、商用電源９０から分電盤３０への電力系統及びパワーコンディショナ２０から分電盤３０への電力系統（分電盤３０を介する電力系統）に電力が流されることがない。従って、発電部１０および商用電源９０からの電力が分電盤３０を介して蓄電装置４０に充電されることはない。一方、蓄電装置４０に充電されている電力は、ケーブル４３を介して負荷５０に供給（放電）することが可能である。すなわち、停電した場合であっても、負荷５０のスイッチがＯＮにされた場合、蓄電装置４０に充電された電力を用いて負荷５０（テレビ５１ａ等）を使用することが可能である。
【００４３】
また、この停電時（非常時）においては、居住者は、パワーコンディショナ２０の運転切換スイッチ２０ａをＯＮに切り換える。これによって、パワーコンディショナ２０の自立運転モードがＯＮとされ、当該パワーコンディショナ２０の非常用コンセント２１からの電力の取り出しが可能となる。
但し、運転切換スイッチ２０ａは、分電盤３０において停電であることが検知された情報をパワーコンディショナ２０に送信し、自動的にＯＮに切り換えられるように構成することも可能である。
【００４４】
この状態においては、発電部１０において発電された電力は、パワーコンディショナ２０、非常用コンセント２１及びケーブル４１を介して蓄電装置４０に充電される。
【００４５】
また、蓄電装置４０が充電中であっても、負荷５０のスイッチがＯＮにされた場合、蓄電装置４０に充電された電力（通常時においてあらかじめ充電されていた電力及び非常時において発電部１０から供給された電力）は、ケーブル４３を介して負荷５０に供給される。なお、停電時において電力を供給するのは必要最低限の負荷（負荷５０）のみであり、その他の負荷８０には電力は供給されない。
【００４６】
上述の如く、停電時においては、発電部１０からの電力を蓄電装置４０に充電しながら、同時に当該蓄電装置４０の電力を負荷５０に供給することができる。このように、蓄電装置４０の電力を放電するだけでなく、並行して充電も行うことで、あらかじめ蓄電装置４０に充電された電力及び発電部１０において新たに発電された電力を効率良く負荷５０へ供給することができる。また、このように蓄電装置４０の充電と放電とを同時に行うことで当該蓄電装置４０（より詳細には、当該蓄電装置４０内の蓄電池（リチウムイオン電池））の劣化が懸念されるが、充電と放電とを同時に行うのは停電時（非常時）のみであるため、当該蓄電装置４０の劣化を最小限に抑えつつ、非常時には電力を効率良く負荷５０へと供給することができる。
【００４７】
次に、図１、図３から図７を用いて、蓄電装置収納庫２００の構成について、さらに詳細に説明する。
なお、蓄電装置収納庫２００は、本発明に係る「蓄電装置収納庫」の第一実施形態である。
また、説明の便宜上、図３から図７では、前後上下左右方向を図に示す矢印が指す方向として説明を行う。
【００４８】
蓄電装置収納庫２００は、蓄電装置４０を収納するものである。図１に示すように、蓄電装置収納庫２００は、玄関１０１に配置される。玄関１０１は、床面がタイル状となった玄関土間１１１と、上り框を介して玄関土間１１１よりも一段高く形成される玄関ホール１１２と、により構成される。蓄電装置収納庫２００は、玄関土間１１１の北西側に配置される。より詳細には、蓄電装置収納庫２００は、北側の外壁１００ａと、西側の（トイレ１０４との間の）間仕切り壁１００ｂと、により２方向側（北側及び西側）を間仕切りされた、玄関土間１１１の角部に配置される。
【００４９】
蓄電装置収納庫２００は、中空の略四角箱状に形成される。より詳細には、蓄電装置収納庫２００は、左右側板２１１・２１２と、天板２２１と、収納扉２３０と、により玄関１０１と区画されて形成される。さらに、蓄電装置収納庫２００は、防音部材２４０と、換気ファン２５０と、を具備する。
【００５０】
左右側板２１１・２１２は、蓄電装置収納庫２００の左部及び右部を成す面材である。左右側板２１１・２１２は、略板状に形成され、その板面を左右方向へ向けて立設される。
【００５１】
天板２２１は、蓄電装置収納庫２００の上部を成す面材である。天板２２１は、略板状に形成され、その板面を上下方向へ向けて配置される。天板２２１は、左右側板２１１・２１２の上に載置され、当該左右側板２１１・２１２に接着剤や釘等の固定具を用いて固定される。
【００５２】
収納扉２３０は、蓄電装置収納庫２００の前部を成すと共に、蓄電装置４０を蓄電装置収納庫２００に出し入れするために開閉自在に構成される部材である。収納扉２３０は、左右側扉２３１・２３２により形成される。
【００５３】
左右側扉２３１・２３２は、略板状に形成される面材であり、その板面を前後方向へ向けて立設される。左側扉２３１は、その左部に配設されるヒンジ部（不図示）を介して、左側板２１１に回動自在に支持される。右側扉２３２は、その右部に配設されるヒンジ部（不図示）を介して、右側板２１２に回動自在に支持される。
【００５４】
このように、収納扉２３０は、左右側扉２３１・２３２によって両開きの、いわゆる観音扉状に形成される。これによって、収納扉２３０は開く際に必要となるスペースを、例えば１枚扉の場合等と比較して小さくすることができる。
【００５５】
また、図３及び図７に示すように、蓄電装置収納庫２００は、収納扉２３０を閉じた状態で、当該収納扉２３０の上端部から天板２２１の下側面までに隙間（以下では、「上部開口２６１」と称する。）が形成される。また、蓄電装置収納庫２００は、収納扉２３０を閉じた状態で、当該収納扉２３０の下端部から床面までに隙間（以下では、「下部開口２６２」と称する。）が形成される。上部開口２６１及び下部開口２６２は、玄関１０１と蓄電装置収納庫２００とを連通するものである。上部開口２６１及び下部開口２６２は、後述する換気ファン２５０により玄関１０１の空気が蓄電装置収納庫２００に吸気された場合に、蓄電装置収納庫２００の空気を排気するための排気口となる。
【００５６】
なお、蓄電装置収納庫２００の空気を排気する排気口として、上部開口２６１及び下部開口２６２を形成する構成ではなく、収納扉２３０（左右側扉２３１・２３２）にガラリを形成する構成であってもよい。
【００５７】
このように、蓄電装置収納庫２００は、左右側板２１１・２１２と天板２２１と収納扉２３０とによって、後側及び下側が開口された中空の略四角箱状に形成される。そして、蓄電装置収納庫２００は、図１に示すように、収納扉２３０側を前側（南側）へ向け、後側の開口部が北側の外壁１００ａに密着した状態で玄関土間１１１に配置される。また、蓄電装置収納庫２００は、下側の開口部が床面に密着した状態で玄関土間１１１に配置される。すなわち、蓄電装置収納庫２００は、上下、左右、及び前後の全ての方向が囲まれた中空の略四角箱状となるように構成される。
【００５８】
防音部材２４０は、蓄電装置収納庫２００に収納した蓄電装置４０の騒音を防音する部材である。防音部材２４０は、蓄電装置収納庫２００の左右側板２１１・２１２と天板２２１と収納扉２３０との内側に覆設される。なお、防音部材２４０は、その配置される場所に応じて、左右側板防音部材２４１・２４２と、天板防音部材２４３と、左右側扉防音部材２４４・２４５と、に区分される。
【００５９】
なお、「蓄電装置４０の騒音を防音」とは、蓄電装置収納庫２００内から漏れ出る蓄電装置４０の騒音の音量がゼロとなる場合だけでなく、蓄電装置収納庫２００内から漏れ出る騒音の音量が、当初騒音の音量よりも低減した場合（ゼロとはならない場合）を含むものとする。
【００６０】
左右側板防音部材２４１・２４２は、略板状に形成され、その板面を左右方向へ向けて配置される。左側板防音部材２４１は、左側板２１１の内側（右側面）に貼設される。右側板防音部材２４２は、右側板２１２の内側（左側面）に貼設される。
【００６１】
天板防音部材２４３は、略板状に形成され、その板面を上下方向へ向けて配置される。天板防音部材２４３は、天板２２１の内側（下側面）に貼設される。
【００６２】
左右側扉防音部材２４４・２４５は、略板状に形成され、その板面を前後方向へ向けて配置される。左側扉防音部材２４４は、左側扉２３１の内側（後側面）に貼設される。右側扉防音部材２４５は、右側扉２３２の内側（後側面）に貼設される。
【００６３】
なお、本実施形態では、防音部材２４０として、ガラス短繊維であるグラスウールが用いられている。より詳細には、密度が４８ｋｇ／ｍ３であって、厚さが２５ｍｍであって、熱伝導率が０．０３２４Ｗ／ｍ・Ｋであるグラスウールが用いられている。なお、グラスウールにおいて、４８ｋｇ／ｍ３の密度とは、比較的高密度であって、適度な剛性を有し、保形成に優れた密度となる。
【００６４】
このように、比較的安価な部材であるグラスウールを用いることによって、施工コストを削減することができる。
【００６５】
また、防音部材２４０は、蓄電装置収納庫２００に収納された蓄電装置４０が、例えば地震等により当該蓄電装置収納庫２００内で左右側板２１１・２１２や収納扉２３０に衝突した場合に、当該衝突により生じる衝撃を緩和する緩和部材を兼用している。すなわち、前記「適度な剛性」とは、蓄電装置４０が、蓄電装置収納庫２００内で左右側板２１１・２１２や収納扉２３０に衝突した場合に、防音部材２４０によって衝突により生じる衝撃が緩和され、当該蓄電装置４０が壊れない程度の剛性を指している。
【００６６】
換気ファン２５０は、蓄電装置収納庫２００内の換気を行うものであり、玄関１０１の空気を蓄電装置収納庫２００に吸気する静音型の吸気ファンである。換気ファン２５０は、貫通孔２５１と、ファン２５２と、駆動部２５３と、ファンカバー２５４と、により構成される。貫通孔２５１は、収納扉２３０の左側扉２３１の上部に形成される。貫通孔２５１は、左側扉２３１（及び左側板防音部材２４１）を前後方向に貫通して形成される。貫通孔２５１は、玄関１０１の空気を蓄電装置収納庫２００に吸気するための給気口となる。ファン２５２は、貫通孔２５１の前方で駆動部２５３により回転可能に支持される。駆動部２５３は、貫通孔２５１の後方に固定される。ファンカバー２５４は、貫通孔２５１の前方に配置され、ファン２５２を収納する。
【００６７】
これによって、換気ファン２５０が駆動すると、蓄電装置収納庫２００外の空気、すなわち玄関１０１の空気が貫通孔２５１を通って当該蓄電装置収納庫２００に吸気される。そして、玄関１０１の空気が吸気されると、蓄電装置収納庫２００の空気が上部開口２６１及び下部開口２６２を通って当該蓄電装置収納庫２００外に排気される。すなわち、蓄電装置収納庫２００内の換気を行うことができる。
【００６８】
したがって、例えば、蓄電装置４０の排熱が排熱口（不図示）から放出され、蓄電装置収納庫２００の空気が暖められた場合には、蓄電装置収納庫２００内の換気を行うことで、当該暖められた空気を蓄電装置収納庫２００外へ排気することができる。すなわち、蓄電装置収納庫２００の温度上昇を防止し、ひいては蓄電装置４０の温度上昇を防止することができる。その結果、蓄電装置４０の温度上昇に伴う不具合の発生を防止することができる。
【００６９】
次に、蓄電装置収納庫２００の構成をより明確とするため、図１及び図１２を用いて、従来の蓄電装置収納庫の一例として、蓄電装置収納庫９００の構成について簡単に説明する。
【００７０】
蓄電装置収納庫９００は、折り返し階段１０５の下の階段下収納１０６の内部に配置される。折り返し階段１０５は、１階側の下部階段（不図示）と、２階側の上部階段１０５ｂと、当該下部階段及び上部階段１０５ｂの間に形成される踊り場１０５ｃと、を具備する。そして、階段下収納１０６は、上部階段１０５ｂ及び踊り場１０５ｃの下方に配置される。階段下収納１０６の後部には、廊下１０３側から開閉可能な階段下収納扉１０６ａが設けられ、当該階段下収納１０６と廊下１０３とが区画される。
【００７１】
蓄電装置収納庫９００は、階段下収納１０６のさらに内部、より詳細には階段下収納１０６の前部に配置される。蓄電装置収納庫９００は、左右側板９１１・９１１と、天板９２１と、収納扉９３０と、外壁１００ａと、により略四角箱状に形成される。左右側板９１１・９１１及び天板９２１の内側には防音部材９４０が設けられる。また、蓄電装置収納庫９００の後部には、開閉可能な収納扉９３０が設けられる。また、外壁１００ａには、蓄電装置収納庫２００外の空気を吸気するための吸気口９６２と、蓄電装置収納庫２００内の空気を排気するための排気口９６１と、がそれぞれ当該外壁１００ａを貫通して形成される。また、吸気口９６２には、換気ファン２５０が設けられる。なお、蓄電装置収納庫９００に収納された蓄電装置４０は、地震の発生時に左右側板９１１・９１１等と衝突し、その衝突により生じる衝撃によって壊れることを防止するため、固定ベルト等の連結部材９６３を介して天板９２１と連結される。
【００７２】
このような構成によって、従来の蓄電装置収納庫９００を具備する住宅１００は、次に示すような効果を奏する。すなわち、階段下収納１０６には、住人が長時間滞在するようなリビング１０９やダイニング等に直接隣接せず、住人が移動する際に利用する廊下１０３や折り返し階段１０５が隣接している。したがって、蓄電装置収納庫９００に防音部材９４０等を施すと共に、当該蓄電装置収納庫９００を階段下収納１０６に配置することで、蓄電装置４０の騒音が住人に不快感を与えるのを防止することができる。
【００７３】
次に、上述の如き構成の従来の蓄電装置収納庫９００に対して、蓄電装置収納庫２００の構成について、さらに詳細に説明する。
【００７４】
蓄電装置収納庫２００は、図１に示すように、住宅１００の玄関１０１に配置される。ここで、玄関１０１は、従来の蓄電装置収納庫９００が配置された階段下収納１０６と同様に、住人が長時間滞在するようなリビング１０９やダイニング等に直接隣接していない。しかしながら、玄関１０１は、従来の蓄電装置収納庫９００が配置された階段下収納１０６とは異なり、リビング１０９やダイニング等との間に廊下１０３が介設されるため、階段下収納１０６と比較して、リビング１０９から離れた場所に配置される。
【００７５】
このような構成によって、蓄電装置収納庫２００を具備する住宅１００は、蓄電装置４０を玄関１０１に配置される蓄電装置収納庫２００に収納することにより、蓄電装置４０の騒音が住人に不快感を与えるのをより効果的に防止することができる。
【００７６】
なお、一般的な住宅の間取りにおいて、住人が長時間滞在するようなリビングやダイニング等が、人の出入りが行われる玄関と離間して配置されることが望まれることは周知である。そして、このような間取りとして、次に示すような４つの間取りが想定される。すなわち、（１）リビングやダイニング等が最も南側に配置され、他方、玄関が最も北側に配置されている間取り、（２）リビングやダイニング等が最も西側に配置され、他方、玄関が最も東側に配置されている間取り、（３）リビングやダイニング等が最も北側に配置され、他方、玄関が最も南側に配置されている間取り、（４）リビングやダイニング等が最も東側に配置され、他方、玄関が最も西側に配置されている間取り、である。そして、このような一般的な住宅の間取りにおいて、リビングやダイニング等と玄関とが相互に相反する方向側に配置されるため（玄関と、リビングやダイニング等と、が最も離れた場所に配置されるため）、本発明が奏する効果は、より顕著となる。
【００７７】
なお、蓄電装置収納庫２００は、玄関１０１に確保されている収納のためのスペースである玄関収納部１１３に形成される。したがって、住宅１００は、玄関１０１に蓄電装置収納庫２００を設置するため専用のスペースを設ける必要がない。すなわち、住宅１００は、蓄電装置収納庫２００を玄関１０１に形成することで、玄関１０１が狭くなることを防止することができる。
【００７８】
また、従来の蓄電装置収納庫９００に収納された蓄電装置４０は、地震の発生時に左右側板９１１・９１１等と衝突し、その衝突により生じる衝撃によって壊れることを防止するため、連結部材９６３を介して天板９２１と連結される。しかしながら、蓄電装置収納庫２００においては、防音部材２４０が緩和部材を兼用している。すなわち、蓄電装置収納庫２００には、天板２２１と連結するための連結部材９６３を設ける必要がない。その結果、施工コストを削減することができる。
【００７９】
また、従来の蓄電装置収納庫９００は、階段下収納１０６のさらに内部に配置されるため、当該蓄電装置収納庫９００内の換気を行うために屋内から空気を吸気することが困難であった。
また、従来の蓄電装置収納庫９００が配置される階段下収納１０６は、住人が長時間滞在するようなリビング１０９やダイニング等に直接隣接していないものの、当該リビング１０９やダイニング等から（騒音が届かない程度に）離間して設置されていなかった。したがって、住宅１００内への蓄電装置４０の騒音を防音するため、従来の蓄電装置収納庫９００内の換気を行うための排気口や吸気口、さらには換気ファン等を屋内側（例えば、図１２（ｂ）に示す階段下収納扉１０６ａ等）に設けることができなかった。
その結果、従来の蓄電装置収納庫９００は、当該蓄電装置収納庫９００内の換気を行うために、外壁１００ａに吸気口９６２及び排気口９６１を形成する必要があった（図１２参照）。
【００８０】
これに対して、蓄電装置収納庫２００は、玄関１０１に形成されるため、蓄電装置収納庫２００外の空気として、玄関１０１（屋内）の空気を吸気することができる。
また、蓄電装置収納庫２００が配置される玄関１０１は、リビング１０９やダイニング等との間に廊下１０３が介設されるため、リビング１０９やダイニング等から（騒音が届かない程度に）離れた場所に配置されている。
その結果、蓄電装置収納庫２００には、当該蓄電装置収納庫２００の換気を行うため、玄関１０１の空気を吸気するための吸気口として、貫通孔２５１が収納扉２３０の左側扉２３１に形成されている。また、蓄電装置収納庫２００は、当該蓄電装置収納庫２００の空気を排気するための吸気口として、収納扉２３０の上下方に上部開口２６１及び下部開口２６２が形成されている。
【００８１】
このような構成によって、住宅１００に、例えばリフォーム等により電力供給システム１を導入する場合に、外壁１００ａを貫通させて吸気口９６２及び排気口９６１を形成する必要がない。すなわち、住宅１００に、リフォーム等により電力供給システム１を容易に導入することができる。また、電力供給システム１を導入する場合の施工コストを削減することができる。
【００８２】
次に、蓄電装置収納庫２００の左右側板２１１・２１２と、天板２２１と、収納扉２３０（左右側扉２３１・２３２）の構成をより明確とするため、図１３を用いて、従来の蓄電装置収納庫９００の左右側板９１１・９１１と、天板９２１と、収納扉９３０の構成について、簡単に説明する。
なお、図１３では、説明の便宜上、内外方向を蓄電装置収納庫９００に対して指す方向であって、図に示す矢印が指す方向として説明を行う。
【００８３】
図１３（ａ）に示すように、従来の蓄電装置収納庫９００の天板９２１には、上から下への順に、石膏ボード２８１と吸音シート９８３と石膏ボード２８１と間仕切り９８２と石膏ボード２８１とを、接着剤を用いて貼り合わせて形成された面材が使用されていた。すなわち、石膏ボード２８１と間仕切り９８２と石膏ボード２８１とからなる面材に、石膏ボード２８１と吸音シート９８３とが増し張りされていた。また、間仕切り９８２は、防音仕様のものであり、防音効果のある部材で形成されていた。また、天板２２１の内側には、グラスウールボード等からなる防音部材９４０が設けられていた。
【００８４】
図１３（ｂ）に示すように、従来の蓄電装置収納庫９００の左右側板９１１・９１１及び収納扉９３０には、外から内への順に、石膏ボード２８１と間仕切り９８２と石膏ボード２８１と吸音シート９８３と石膏ボード２８１とを、接着剤を用いて貼り合わせて形成された面材が使用されていた。すなわち、石膏ボード２８１と間仕切り９８２と石膏ボード２８１とからなる面材に、石膏ボード２８１と吸音シート９８３とが増し張りされていた。また、間仕切り２８２は、防音仕様のものであり、防音効果のある部材で形成されていた。また、収納扉９３０は、折戸等により２重扉に設計されていた。
【００８５】
このような構成によって、従来の蓄電装置収納庫９００は、蓄電装置４０の騒音を防音することができる。
【００８６】
次に、上述の如き構成の従来の蓄電装置収納庫９００の左右側板９１１・９１１と、天板９２１と、収納扉９３０に対して、蓄電装置収納庫２００の左右側板２１１・２１２、天板２２１と、収納扉２３０（左右側扉２３１・２３２）との構成について、図８を用いて、さらに詳細に説明する。
なお、図８では、説明の便宜上、内外方向を蓄電装置収納庫２００に対して指す方向であって、図に示す矢印が指す方向として説明を行う。
【００８７】
図８（ａ）に示すように、蓄電装置収納庫２００の天板２２１には、上から下への順に、石膏ボード２８１と間仕切り２８２と石膏ボード２８１とを、接着剤を用いて貼り合わせて形成された面材が使用されている。すなわち、蓄電装置収納庫２００の天板２２１においては、従来の蓄電装置収納庫９００の天板９２１とは異なり、石膏ボード２８１と間仕切り２８２と石膏ボード２８１とからなる面材に、石膏ボード２８１と吸音シート９８３とが増し張りされていない。また、間仕切り２８２は、従来の蓄電装置収納庫９００の間仕切り９８２とは異なり、防音仕様のものではなく、防音効果のある部材で形成されていない。なお、天板２２１の内側には、天板防音部材２４３が設けられている。
【００８８】
図８（ｂ）に示すように、蓄電装置収納庫２００の左右側板２１１・２１２と、収納扉２３０とには、外から内への順に、石膏ボード２８１と間仕切り２８２と石膏ボード２８１とを、接着剤を用いて貼り合わせて形成された面材が使用されている。すなわち、蓄電装置収納庫２００の左右側板２１１・２１２と、収納扉２３０とにおいては、従来の蓄電装置収納庫９００の左右側板９１１・９１１及び収納扉９３０とは異なり、石膏ボード２８１と間仕切り２８２と石膏ボード２８１とからなる面材に、石膏ボード２８１と吸音シート９８３とが増し張りされていない。また、間仕切り２８２は、従来の蓄電装置収納庫９００の間仕切り９８２とは異なり、防音仕様のものではなく、防音効果のある部材で形成されていない。そして、左右側板２１１・２１２と、収納扉２３０との内側には、防音部材２４０（より詳細には、左右側板防音部材２４１・２４２と、左右側扉防音部材２４４・２４５と）が設けられている。
【００８９】
このように、蓄電装置収納庫２００の左右側板２１１・２１２と天板２２１と収納扉２３０と、従来の蓄電装置収納庫９００の左右側板９１１・９１１と天板９２１と収納扉９３０とは、構成が異なっている。
【００９０】
すなわち、蓄電装置収納庫２００は、住宅１００の玄関１０１に配置される。ここで、玄関１０１は、従来の蓄電装置収納庫９００が配置された階段下収納１０６と比較して、リビング１０９から離れた場所に配置される。したがって、蓄電装置収納庫２００は、従来の蓄電装置収納庫９００と比較して、当該蓄電装置収納庫２００から発生する騒音値の許容値（上限値）を上げることができる。つまり、蓄電装置収納庫２００からの騒音は、従来の蓄電装置収納庫９００からの騒音に比べてリビング１０９に到達し難いため、従来の蓄電装置収納庫９００からの騒音よりも大きな騒音であっても許容することができる。
【００９１】
このような構成によって、蓄電装置収納庫２００は、蓄電装置４０の騒音を防音することができる。そして、蓄電装置収納庫２００は、従来の蓄電装置収納庫９００よりも簡易な構成で蓄電装置４０の騒音を防音することができる。
【００９２】
また、蓄電装置収納庫２００は、石膏ボード２８１と間仕切り２８２と石膏ボード２８１とからなる面材に、石膏ボード２８１と吸音シート９８３とが増し張りされていないため、施工手順を簡略化することができ、ひいては施工コストの削減を図ることができる。
【００９３】
また、蓄電装置収納庫２００は、間仕切り２８２が、防音仕様のものではなく、防音効果のある部材で形成されていないため、施工コストの削減を図ることができる。
【００９４】
また、住宅１００に、リフォーム等により電力供給システム１を導入する場合、すなわち、玄関収納部１１３に新たに蓄電装置収納庫２００を形成する場合に、当該玄関収納部１１３に使用されている間仕切りが防音仕様のものではなく、防音効果のある部材で形成されていないものであっても、防音部材２４０を設けることによって、蓄電装置収納庫２００を形成することができる。すなわち、住宅１００に、リフォーム等により玄関収納部１１３に容易に蓄電装置収納庫２００を形成することができる。また、電力供給システム１を導入する場合の施工コストを削減することができる。
【００９５】
次に、図９及び図１１を用いて、本発明の第二実施形態に係る住宅３５０の構成について説明する。
なお、以下の説明において、本発明の第一実施形態に係る住宅１００の構成と同一である部分についての説明は、適宜に省略する。
【００９６】
住宅３５０は、本発明に係る「蓄電装置収納庫」の第二実施形態である蓄電装置収納庫３００を具備する。
図１０に示すように、蓄電装置収納庫３００は、玄関１０１の玄関収納部３０３に形成される。なお、玄関収納部３０３には、蓄電装置収納庫３００の他に、下駄箱３７１と、前部収納部３７２と、が形成される。
【００９７】
下駄箱３７１は、前後方向に細長い中空の略四角箱状に形成される。下駄箱３７１は、蓄電装置収納庫３００の右方に連設される。より詳細には、下駄箱３７１は、蓄電装置収納庫３００と左右に並設され、当該蓄電装置収納庫３００の右側板３１２を、当該下駄箱３７１の左部（左側板）として形成される。すなわち、蓄電装置収納庫３００の右側板３１２は、蓄電装置収納庫３００と下駄箱３７１とを、左右に区画している。蓄電装置収納庫３００の右側板３１２には、蓄電装置収納庫３００と下駄箱３７１とを連通する貫通孔として、吸気口３６２及び排気口３６１が形成される。吸気口３６２は、蓄電装置収納庫３００の空気を下駄箱３７１に吸気するものである。排気口３６１は、下駄箱３７１の空気を蓄電装置収納庫３００に排気するものである。
【００９８】
前部収納部３７２は、中空の略四角箱状に形成される。前部収納部３７２は、蓄電装置収納庫３００の前方に連設される。より詳細には、前部収納部３７２は、蓄電装置収納庫３００と前後に並設され、当該蓄電装置収納庫３００の収納扉３３０を、当該前部収納部３７２の後部（後側板）として形成される。すなわち、蓄電装置収納庫３００の収納扉３３０は、前部収納部３７２と蓄電装置収納庫３００とを、前後に区画している。また、前部収納部３７２の右側板３１２には、前部収納部３７２と玄関１０１とを連通するガラリ（不図示）が設けられた開閉扉３７３が形成される。
【００９９】
蓄電装置収納庫３００は、（蓄電装置収納庫２００とは異なり）フード３８０を具備する。
【０１００】
フード３８０は、蓄電装置４０の排熱を回収するためのものである。フード３８０は、内側に空間を有する概ね碗状であって、蓄電装置４０の排熱口（不図示）を、内側に覆うように形成される。これによって、蓄電装置４０の排熱口から放出された排熱は、フード３８０に排出される。そして、フード３８０に排出された蓄電装置４０の排熱により、フード３８０の空気が暖められる。なお、フード３８０は、蓄電装置４０の排熱口の他に、左側扉２３１に形成された貫通孔２５１、及び右側板３１２に形成された吸気口３６２を、内側に覆うように形成される。
【０１０１】
なお、蓄電装置収納庫３００は、フード３８０を具備しない構成とすることもできる。
【０１０２】
次に、図１１を用いて、換気ファン２５０を駆動させた場合の空気の流れについて説明する。
なお、図１１に示す黒太矢印は、換気ファン２５０を駆動させた場合の空気の流れを示している。
【０１０３】
まず、換気ファン２５０を駆動させると、前部収納部３７２の空気が蓄電装置収納庫３００の左側扉２３１に形成された貫通孔２５１を通って蓄電装置収納庫３００（より詳細には、蓄電装置収納庫３００のフード３８０）に吸気される。そして、フード３８０に前部収納部３７２の空気が吸気されたことに伴って、当該フード３８０の空気、すなわち蓄電装置４０の排熱により暖められた空気が、右側板３１２に形成された吸気口３６２を通って下駄箱３７１に吸気される。そして、下駄箱３７１にフード３８０の空気が吸気されたことに伴って、当該下駄箱３７１の空気が、右側板３１２に形成された排気口３６１を通って蓄電装置収納庫３００に排気される。そして、蓄電装置収納庫３００に下駄箱３７１の空気が排気されたことに伴って、蓄電装置収納庫３００の空気（フード３８０外の空気）が、左右側扉２３１・２３２の上下方に形成された上部開口２６１及び下部開口２６２（図１１においては不図示）を通って、前部収納部３７２に排気される。なお、前部収納部３７２は、開閉扉３７３にガラリが設けられているため、常に換気された状態となっている。
【０１０４】
このような構成によって、蓄電装置４０の排熱により暖められた蓄電装置収納庫３００の空気を、蓄電装置収納庫３００外へ排気することができる。すなわち、蓄電装置収納庫３００を換気し、蓄電装置４０の温度上昇を防止し、ひいては蓄電装置４０の温度上昇に伴う不具合の発生を防止することができる。
【０１０５】
また、換気ファン２５０により蓄電装置収納庫３００に給気した空気の流れによって、下駄箱３７１を換気することができる。すなわち、下駄箱３７１を換気するため専用の換気ファンを設けることなく、下駄箱３７１を換気することができる。また、下駄箱３７１に吸気される空気は、蓄電装置４０の排熱により暖められた空気を用いることができるので、当該下駄箱３７１の湿気を効果的に除去することができる。
【０１０６】
また、蓄電装置収納庫３００は、（蓄電装置収納庫２００とは異なり）玄関収納部３０３の全部ではなく、一部に形成することができる。すなわち、玄関収納部３０３に、蓄電装置収納庫３００を形成すると共に、当該蓄電装置収納庫３００が形成された以外の場所に、例えば靴や傘等を収納することができる。
【０１０７】
以上のように、
蓄電装置４０からの電力を負荷へと供給可能な電力供給システム１を具備する住宅１００において、
前記住宅の玄関１０１に配設される玄関収納部１１３に、仕切り部材（左右側板２１１・２１２と、天板２２１と、収納扉２３０と）により玄関１０１と区画された空間であり前記蓄電装置を収納するための蓄電装置収納庫２００を形成し、
前記仕切り部材に、
玄関側と前記蓄電装置収納庫とを連通する換気用の第一排気口（上部開口２６１及び下部開口２６２）及び第一吸気口（貫通孔２５１）と、
前記玄関側の空気を前記第一吸気口から前記蓄電装置収納庫に吸気し、前記蓄電装置収納庫の空気を前記第一排気口から前記玄関側に排気するファン（換気ファン２５０）と、
を形成する、ものである。
【０１０８】
このような構成によって、蓄電装置４０の騒音が住人に不快感を与えるのを防止することができ、且つ蓄電装置収納庫２００の換気用の貫通孔（排気口及び吸気口）を住宅１００の外壁１００ａに形成する必要がない住宅１００を提供することができる。
【０１０９】
また、前記仕切り部材には、その内側に前記蓄電装置の騒音を防音する防音部材２４０を覆設し、
前記防音部材は、前記蓄電装置が前記仕切り部材に衝突した場合に生じる衝撃を緩和する緩衝部材を兼用する、ものである。
【０１１０】
このような構成によって、蓄電装置４０を蓄電装置収納庫２００に固定するため専用の部材（連結部材９６３等）を設ける必要がない。その結果、施工コストを削減することができる。
【０１１１】
前記玄関収納部は、前記蓄電装置収納庫に連設された下駄箱３７１を具備し、
前記蓄電装置収納庫と前記下駄箱との間を区画する仕切り部材（右側板３１２）に、前記蓄電装置収納庫と前記下駄箱とを連通する第二排気口（排気口３６１）及び第二吸気口（吸気口３６２）を形成し、
前記ファンにより前記玄関側の空気が前記第一吸気口から前記蓄電装置収納庫に吸気されると、前記蓄電装置収納庫の空気が前記第二吸気口から前記下駄箱に吸気され、前記下駄箱の空気が前記第二排気口から前記蓄電装置収納庫に排気され、前記蓄電装置収納庫の空気が前記第一排気口から前記玄関側に排気される、ものである。
【０１１２】
このような構成によって、下駄箱３７１を換気するため専用の換気ファンを設けることなく、下駄箱３７１を換気することができる。また、下駄箱３７１に吸気される空気は、蓄電装置４０の排熱により暖められた空気を用いることができるので、当該下駄箱３７１の湿気を効果的に除去することができる。
【０１１３】
なお、玄関収納部１１３及び玄関収納部３０３は、本発明に係る「玄関収納部」の一実施形態であり、これに限定されない。例えば、本発明に係る「玄関収納部」は、玄関土間１１１ではなく、玄関ホール１１２に配置されてもよい。
また、蓄電装置収納庫２００における左右側板２１１・２１２と、天板２２１と、収納扉２３０とは、本発明に係る「仕切り部材」の一実施形態であり、これに限定されない。例えば、本発明に係る「仕切り部材」は、略板状の部材ではなくて、これらが一体的に形成された部材であってもよい。
また、上部開口２６１及び下部開口２６２は、本発明に係る「第一排気口」の一実施形態であり、貫通孔２５１は、本発明に係る「第一吸気口」の一実施形態であり、これに限定されない。例えば、本発明に係る「第一排気口」及び「第一吸気口」は、ガラリにより形成されてもよい。
また、換気ファン２５０は、本発明に係る「ファン」の一実施形態であり、これに限定されない。なお、本発明に係る「ファン」は、前記玄関側の空気を前記第一吸気口から前記蓄電装置収納庫に吸気し、前記蓄電装置収納庫の空気を前記第一排気口から前記玄関側に排気するものである。ここで、「玄関側の空気」とは、屋外の空気ではない意味であって例えば玄関１０１に配置された部材の内側の空気含む意味である。すなわち、玄関１０１に配置された玄関収納部３０３の前部収納部３７２内の空気は、玄関１０１側の空気となる。
また、防音部材２４０は、本発明に係る「防音部材」の一実施形態であり、これに限定されない。すなわち、本発明に係る「防音部材」は、密度が４８ｋｇ／ｍ３であって、厚さが２５ｍｍであって、熱伝導率が０．０３２４Ｗ／ｍ・Ｋであるグラスウールに限定されない。つまり、本発明に係る「防音部材」は、蓄電装置の騒音を防音可能なものであって、さらに蓄電装置が仕切り部材に衝突した場合に生じる衝撃を緩和する緩衝部材を兼用可能なものであればよい。
【符号の説明】
【０１１４】
１              電力供給システム
４０            蓄電装置
１００          住宅
１００ａ        外壁
１０１          玄関
１１３          玄関収納部
２００          蓄電装置収納庫
２１１・２１２  左右側板
２２１          天板
２３０          収納扉
２５０          換気ファン
２５１          貫通孔
２６１          上部開口
２６２          下部開口
【図１】
2014001572.tif 000003
【図２】
2014001572.tif 000004
【図３】
2014001572.tif 000005
【図４】
2014001572.tif 000006
【図５】
2014001572.tif 000007
【図６】
2014001572.tif 000008
【図７】
2014001572.tif 000009
【図８】
2014001572.tif 000010
【図９】
2014001572.tif 000011
【図１０】
2014001572.tif 000012
【図１１】
2014001572.tif 000013
【図１２】
2014001572.tif 000014
【図１３】
2014001572.tif 000015